(57)【要約】【課題】テーブルフラワーを場面に応じて異なる雰囲気の花に簡単に変更することが可能なテーブルフラワーのディスプレイ方法及びテーブルフラワーのディスプレイ用コンテナを提供する。【解決手段】コンテナ１内に生けられた花々によってコーディネートされてテーブル上を美しく飾るテーブルフラワーのディスプレイ方法であって、予めコンテナ１の正面側とそれとは反対側（方向Ｓ１側）の背面側（方向Ｓ２側）とで印象の異なる花々をアレンジしておき、コンテナ１の正面側と背面側を適宜に置き換えることにより会場の雰囲気を容易且つ迅速に変更する。【選択図】図１
2016010421.tif 000002
【特許請求の範囲】
【請求項１】
コンテナ内に生けられた花々によってコーディネートされてテーブル上を美しく飾るテーブルフラワーのディスプレイ方法において、
予め前記コンテナの正面側とそれとは反対側の背面側とで印象の異なる花々をアレンジしておき、前記コンテナの正面側と背面側を適宜に置き換えることにより会場の雰囲気を容易且つスピーディーにチェンジすることを特徴とするテーブルフラワーのディスプレイ方法。
【請求項２】
花々によってテーブル上を美しく飾るテーブルフラワーのディスプレイ用コンテナにおいて、
複数の花々が生けられる上面が開口された箱型のコンテナ本体と、
前記コンテナ本体内を正面側と背面側に区分する仕切板と、
を備え、
前記仕切板には持ち手を設けると共に、前記コンテナ本体には把手を設け、前記コンテナ本体を正面側と背面側を容易に置き換え可能に構成され、予め前記コンテナ本体の正面側とそれとは反対側の背面側とで印象の異なる花々をアレンジしたコンテナ本体を正面側と背面側を適宜に置き換えることにより会場の雰囲気を容易且つスピーディーにチェンジすることを可能としたテーブルフラワーのディスプレイ用コンテナ。
【請求項３】
請求項２に記載のテーブルフラワーのディスプレイ用コンテナにおいて、
前記コンテナ本体の上端面は内側に突出するような逆Ｌ字形状に形成されていることを特徴とするテーブルフラワーのディスプレイ用コンテナ。
【請求項４】
請求項３に記載のテーブルフラワーのディスプレイ用コンテナにおいて、
前記コンテナ本体に収容される水切り用のトレイを備え、
前記花々は前記トレイ内に収容された茎固定部材に生けられるようにしたことを特徴とするテーブルフラワーのディスプレイ用コンテナ。
【請求項５】
請求項４に記載のテーブルフラワーのディスプレイ用コンテナにおいて、
前記コンテナ本体の側面には前記トレイの取り出しを容易にするための切り欠きが設けられていることを特徴とするテーブルフラワーのディスプレイ用コンテナ。
【発明の詳細な説明】
【技術分野】
【０００１】
本発明は、テーブルフラワーのディスプレイ方法及びテーブルフラワーのディスプレイ用コンテナに関し、さらに詳しくは、テーブル上に飾り付けられたテーブルフラワーを場面に応じて異なる雰囲気の花に簡単に変更することが可能なテーブルフラワーのディスプレイ方法及びテーブルフラワーのディスプレイ用コンテナに関する。
【背景技術】
【０００２】
結婚式の披露宴等においては、一般に高砂席などに豪華な生花がテーブルフラワーとして置かれ、会場の雰囲気を華やかにしている。通常、このようなテーブルフラワーは披露宴等が終了するまで変わらずにそのまま置かれている。一方で、披露宴を盛り上げるために種々の趣向を凝らした式次の演出、飾り付け等により会場の雰囲気を盛り上げることが提案されている（例えば、特許文献１，２参照）。
【０００３】
また、花等の装飾品の飾りを変更して雰囲気を変更することも考えられている。例えば、特許文献３に示される装飾取替自在移動式フレームでは、二種類のフレーム本体を用い、少なくとも３個直列の該フレーム本体が立平面を形成するように互いの外枠外部に水平回転自在な機能を有する複数の着脱自在な連結部材を用いて連結し、収納する場合に、第１のフレーム本体を間に挟み、両側の２個の第２のフレーム本体を折り重ねてもそれぞれ下部の台座及びキャスターが干渉せずに折り畳み収納できる所定の配置とし、各種装飾品を容易に取り替え、折り畳み収納できるようにしている。
【０００４】
また、特許文献４に示されるフラワーアレンジメントユニットでは、上面を開口した長方形状の容器と、下部支持板と上部支持板とを連結柱で連結してなる接続具とを備え、容器の幅方向に対向する内壁面の底面よりやや上方に長手方向に延びる一対のレールを設けて底面トレイルとの間に溝を形成し、更にレールの一部に溝に接続具の下部支持板が嵌合可能な切欠部を設け、簡易の構成で花を装飾する位置のバリエーションを拡げるとともに、装飾された花をより長持ちさせることができるようにしている。
【先行技術文献】
【特許文献】
【０００５】
【特許文献１】特開２００３−１６５２９９号公報
【特許文献２】特開平１０−５０１０７号公報
【特許文献３】実用新案登録第３０６９３８５号
【特許文献４】特開２００４−１６６８３５号公報
【発明の概要】
【発明が解決しようとする課題】
【０００６】
しかしながら、上述した特許文献１に示される演出装置は式の途中で内容を変更できないという不満があり、また、特許文献２に示されるテーブル装飾方法は用いる装置の飾花の取り替えや変更が使用者によって簡単に行えない他、電池切れに備えた式場運営者側の電池交換管理等が必要になるという問題がある。さらに、特許文献３に示される装飾取替自在移動式フレームは生花等の装飾品の取り替えを容易にし、且つ不使用時には折り畳んで収納できるものの、１体の装飾品を多目的に使用しようとすると作業に複数の人が必要になる。さらに、特許文献４に示されるフラワーアレンジメントユニットは、複数の装飾品の移動は容易に行えるものの、水平移動を前提としており更に上段の一体を移動させようとすると踏み台等を用いる必要がある。このように、従来の装置は一体の装飾品を変更するのみで済む用途に対しては不向きである。
【０００７】
そこで、本発明は、かかる問題点に鑑みなされたもので、披露宴等で会場の雰囲気を演出するテーブルフラワーを場面に応じて異なる雰囲気の花に簡単に変更することが可能なテーブルフラワーのディスプレイ方法及びテーブルフラワーのディスプレイ用コンテナを提供することを目的とする。より具体的には、花嫁のお色直しの前後のウエディングドレスのデザインやカラーにマッチしたテーブルフラワーへ容易に変更することができるテーブルフラワーのディスプレイ方法及びテーブルフラワーのディスプレイ用コンテナを提供することを目的とする。
【課題を解決するための手段】
【０００８】
上記課題を解決するために請求項１に記載の本発明は、コンテナ内に生けられた花々によってコーディネートされてテーブル上を美しく飾るテーブルフラワーのディスプレイ方法において、予め前記コンテナの正面側とそれとは反対側の背面側とで印象の異なる花々をアレンジしておき、コンテナの正面側と背面側を適宜に置き換えることにより会場の雰囲気を容易且つスピーディーにチェンジすることを特徴とする。
【０００９】
上記課題を解決するために請求項２に記載の本発明は、花々によってテーブル上を美しく飾るテーブルフラワーのディスプレイ用コンテナにおいて、複数の花々が生けられる上面が開口された箱型のコンテナ本体と、コンテナ本体内を正面側と背面側に区分する仕切板と、を備え、仕切板には持ち手を設けると共に、コンテナ本体には把手を設け、コンテナ本体を正面側と背面側を容易に置き換え可能に構成され、予めコンテナ本体の正面側とそれとは反対側の背面側とで印象の異なる花々をアレンジしたコンテナ本体を正面側と背面側を適宜に置き換えることにより会場の雰囲気を容易且つスピーディーにチェンジすることを可能としたことを特徴とする。
【００１０】
上記課題を解決するために請求項３に記載の本発明は、コンテナ本体の上端面は内側に突出するような逆Ｌ字形状に形成されていることを特徴とする。
【００１１】
上記課題を解決するために請求項４に記載の本発明は、コンテナ本体に収容される水切り用のトレイを備え、花々はトレイ内に収容された茎固定部材に生けられるようにしたことを特徴とする。
【００１２】
上記課題を解決するために請求項５に記載の本発明は、コンテナ本体の側面にはトレイの取り出しを容易にするための切り欠きが設けられていることを特徴とする。
【発明の効果】
【００１３】
本発明に係るテーブルフラワーのディスプレイ方法及びテーブルフラワーのディスプレイ用コンテナによれば、テーブルフラワーを生けるコンテナの一方の側と他方の側とで印象の異なるテーブルフラワーを予めアレンジしておき、コンテナの一方の側と他方の側とを置き換えるようにすることで会場の雰囲気を容易且つスピーディーにチェンジすることができるという効果がある。
【００１４】
また、テーブルフラワーを生けるコンテナに仕切板を設けたのでコンテナの一方の側と他方の側とで印象の異なるテーブルフラワーを容易にアレンジすることが可能となり、また、仕切板には持ち手を設けると共にコンテナ本体には把手を設けることとしたので、コンテナの配置を容易に変更することができ、それによって会場の雰囲気を容易且つスピーディーにチェンジすることができるという効果がある。
【図面の簡単な説明】
【００１５】
【図１】本発明に係るテーブルフラワーのディスプレイ用コンテナの一実施形態を示す斜視図である。
【図２】（ａ）はコンテナ本体の構成を示す斜視図、（ｂ）はコンテナ本体の状端面を示す断面図である。
【図３】図２に示すコンテナ本体の上部の把手の構成を示す斜視図である。
【図４】図１に示すトレイの構成を示す斜視図である。
【図５】コンテナに生けたテーブルフラワーの一実施例を示す斜視図である。
【図６】図５に示す状態から前後面を入れ替えた後のテーブルフラワーの一実施例を示す斜視図である。
【発明を実施するための形態】
【００１６】
本発明に係るテーブルフラワーのディスプレイ方法及びテーブルフラワーのディスプレイ用コンテナの好ましい一実施形態について図面を参照しつつ説明する。初めに、テーブルフラワーのディスプレイ用コンテナの構成について説明し、その後でテーブルフラワーのディスプレイ用コンテナの使用方法と共に本発明に係るテーブルフラワーのディスプレイ方法について説明する。図１はテーブルフラワーのディスプレイ用コンテナの一実施形態を示す斜視図、図２はコンテナ本体２の詳細を示す斜視図である。
【００１７】
［テーブルフラワーのディスプレイ用コンテナの構成］
図１に示すテーブルフラワーのディスプレイ用コンテナ(以下、単に「コンテナ」という)１は、概略として、複数の花々が生けられる上面が開口された箱型のコンテナ本体２と、コンテナ本体２内を正面側と背面側に区分する仕切板７とを備えて構成されている。尚、本実施形態では仕切板７の略中央部に仕切板７と直交する方向に補助仕切板６が配置されている。そして、仕切板７と補助仕切板６によって仕切られた各区分内に皿型の複数（ここでは４つ）のトレイ３，３（図１では１つのみを図示）が収納され、さらに、このトレイ３，３内に生花、ドライフラワー、造花等のテーブルフラワーを生けるための角形の茎固定部材４，４（図１では１つのみを図示）が収容される。
【００１８】
コンテナ本体２は、図２（ａ）に示すように、例えば、鉄やステンレス等の金属材料によって上面が開口された長方形の箱型形状とされ、コンテナ本体２の側板２ａ，２ｂの上端面は、図２（ｂ）に示すように、それぞれ内側に突出するような逆Ｌ字形状に形成されている。これにより、生けた花々が外へ倒れるのが防止される。また、仕切板７と補助仕切板６によって仕切られた各区分内に収納されるトレイ３，３は区分内一杯に収容されるような大きさに形成されているため、コンテナ本体２の短辺側の側面２ｂ、２ｂには、トレイ３の取り出しを容易にするための略半円形の切り欠き１０，１０が設けられている。因みに、コンテナ本体２のサイズの一例を示せば、幅（Ｗ）約６０ｃｍ、奥行き（Ｄ）約３０ｃｍ、高さ（Ｈ）約４ｃｍである（図２参照）。もちろんこのサイズに限定されるものではない。尚、本実施形態においてはコンテナ本体２の形状を平面視長方形状としたが、これに限らず四角形、多角形、楕円、円形等任意の形状にすることができる。
【００１９】
また、コンテナ本体２は、上述したような金属加工品にかかわらず、合成樹脂製や木製であってもよい。そして、コンテナ本体２の各側面２ａ，２ｂには切り抜き模様、凹凸等の装飾が施されていても良いし、無地のほか、彩色（塗装）、模様、イラスト等の印刷やシールの貼着が施されていても良い。さらに、コンテナ本体２の短辺側の側面２ｂ、２ｂには、略コ字形状に突出するような側部把手５ａ，５ｂが取り付けられている。一方側の側部把手５ａと後述する上部把手８を１人が手に持つようにして２人でコンテナ１を移動、またはテーブル上で正面と後面を入れ替えて置き直すことができるようになっている。
【００２０】
図２に示すように、コンテナ本体２は仕切板７及び補助仕切板６によって内部が十字形に仕切られており、これによって収納スペースＡ１〜Ａ４が形成されている。もちろん４区分に限るものではなく、もっと多くの区分を設けてもよい。仕切板７及び補助仕切板６はコンテナ本体２に対し、溶接やネジ止め等の適宜の固定手段によって取り付けられている。また、仕切板７の上端の両側の角部は半円状の丸みが付けられ、人体等の接触等に起因する怪我等に対して安全を図っている。
【００２１】
そして、長手方向に配設された仕切板７の上辺の両側にはコンテナ１を手で持ち上げて移動させ或いは回転させることができるように上部把手８，８が設けられている。上部把手８，８は、開口９，９の上部の梁部分に金属製や樹脂製のパイプ状部品１１を外嵌して形成されている（図３参照）。これは仕切板７が薄いので開口９，９を設けただけであるとコンテナ本体２を持ち上げたときにコンテナ１の重みで指が痛くならないようにするためである。尚、上部把手８，８は開口９，９を加工した際に生じたベロ部分を曲げ加工し、上側が幅広になるように加工することによっても形成することができる。当然、コンテナ本体２が樹脂加工製であれば、上部把手８，８の形成は容易である。
【００２２】
トレイ３は、コンテナ本体２と同等の金属や樹脂によって漏水しない構造とされ、図４に示すように底面の面積を上面の開口面積よりも小さくしている。これは茎固定部材４を取り出し易くするための配慮であるが、上下同一面積であってもよい。また、トレイ３，３の外側寸法はコンテナ本体２の収納スペースＡ１〜Ａ４の内側寸法よりもやや小さくされており、これによりトレイ３，３は収納スペースＡ１〜Ａ４に対して自由に収納及び取り出すことが可能になっている。このトレイ３，３の収納及び取り出しを容易にするため、図２に示すようにコンテナ本体２の短辺側の側面に半円形の切り欠き１０，１０が設けられ、指を差し込み易くしている。
【００２３】
トレイ３に収納されて生花等の茎部が挿入される茎固定部材４は、保水性、柔軟性を備えたスポンジ状の素材、例えば、スポンジブロック、ポリウレタンチップフォーム、ポリマーからなる不織布等の単体或いは剣山等との組み合わせにより構成することができる。尚、生花を生ける場合、トレイ３に剣山を入れ、トレイ３に所定量の水を入れて花を生ければ茎固定部材４は不要になるものの、持ち運び時に生じるコンテナ本体２の傾き等によって水がこぼれ易くなる。これに対し、保水性を有する茎固定部材４を用いれば水こぼれを防止することができる。
【００２４】
［コンテナ１の使用方法］
次に、本発明に係るテーブルフラワーのディスプレイ方法について上述したコンテナ１の使用方法と併せて以下説明する。図５はコンテナ１に生けたテーブルフラワーの一実施例を示す斜視図である。まず、コンテナ本体２内の収納スペースＡ１〜Ａ４内に４つのトレイ３，３を収納する。次いで、４つの各トレイ３，３内に茎固定部材４，４を収納する。そして、各茎固定部材４，４に適当量の水を注ぎ、予め用意した複数の生花を茎固定部材４，４に順次生ける。尚、造花を用いる場合には特に水は不要である。
【００２５】
ここで、例えば、図５に示すように、収納スペースＡ１，Ａ２には生花１３を生け、収納スペースＡ３，Ａ４には生花１３とは雰囲気の異なる種類の生花１２を生ける。そして、全体の容姿を整えてテーブルフラワーを完成させる。このとき、必要に応じて大きな花等を紐、テープ等で固定するとよい。ここで重要となるのは花の配置である。コンテナ本体２の長側面側のＳ１側を前面側とし、Ｓ２側を後面側とすると、この２方向が披露宴の参列者側に向けられる面となる。そこで、予めＳ１側とＳ２側とで異なる印象を与えるようにして花を飾る。例えば、Ｓ１側には花嫁のウエディングドレスにマッチするような花で飾り、Ｓ２側にはお色直し後のウエディングドレスにマッチするような花で飾っておく。
【００２６】
そして、このようにして完成させたテーブルフラワーを披露宴会場の高砂のテーブルへ配置する。このとき、最初に見せたい側が参列者の方向（正面）へ向くように配置する。ここでは、図５に示すＳ１の方向を最初に見せたい側とする。そして、例えば、お色直しのタイミングで、側部把手５，５及び上部把手８，８を握ってコンテナ１を持ち上げた状態で１８０°回転させて今度はＳ２の方向が参列者の方向を向くように置き直す（図６に示す状態）。これにより、高砂のテーブルの雰囲気ががらりと変わり、新たな雰囲気の中で披露宴を進行させることができる。
【００２７】
本実施形態ではコンテナ本体２が平面視長方形状としたが、コンテナ本体２を平面視正方形状とすれば四面に異なる印象の花で飾るようにすることも可能である。この場合、変更のチャンスは３回生じることになる。もちろん、見せる部位は面単位というわけではなく、花の数や盛り付け状態によっては４５°，３０°等の角度で回転させることも可能である。
【００２８】
［実施形態の効果］
本実施形態に係るテーブルフラワーのディスプレイ方法及びテーブルフラワーのディスプレイ用コンテナによれば、予めコンテナ１の正面側と背面側とに印象の異なる生花１２，１３を生けたテーブルフラワーを形成し、コンテナ１の正面側と背面側を適宜に置き換えることを可能としたので、会場の雰囲気を容易且つスピーディーにチェンジすることが可能となるという効果がある。
【００２９】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。例えば、結婚式の披露宴を例に説明したが、これに限るものではなく、例えば、入学式、卒業式、記念式典、授賞式等に広範囲に利用することができる。
【００３０】
さらに、コンテナ本体２の側面に各色のＬＥＤ等の発光素子を取り付けることにより、さらなる華やかさを付加することができる。また、「祝」などの文字や「オメデトウ！」などのメッセージを表示するようにしてもよい。
【符号の説明】
【００３１】
１      ディスプレイ用コンテナ
２      コンテナ本体
３      トレイ
４      茎固定部材
５      側部把手
６      補助仕切板
７      仕切板
８      上部把手
９      開口
１０      切り欠き
１１      パイプ状部品
１２，１３      生花
【図１】
2016010421.tif 000003
【図２】
2016010421.tif 000004
【図３】
2016010421.tif 000005
【図４】
2016010421.tif 000006
【図５】
2016010421.tif 000007
【図６】
2016010421.tif 000008